(57)【要約】【課題】複数のチャンネルの内容を好適に提示することができる放送受信装置を提供する。【解決手段】放送受信装置１００は、チャンネルを選局して映像情報を受信するチューナを複数有するチューナ部１と、チューナ部１から複数のチャンネルの映像情報を取得し、複数の映像情報を同時に信号処理して、映像信号を出力する信号処理部２と、信号処理部２が出力する映像情報に基づいて表示画面上に映像を表示する表示部４と、外部から視聴率情報を取得する通信部６と、視聴率情報に基づいて複数のチャンネルの表示優先度を決定し、表示優先度に基づいて複数の映像情報の表示部４における表示形態を決定して、信号処理部２において表示形態に応じた信号処理を実行させる制御部７とを有する。【選択図】図２
2010041166.tif 000002
【特許請求の範囲】
【請求項１】
チャンネルを選局して映像情報を受信するチューナを複数有するチューナ部と、
前記チューナ部から複数のチャンネルの映像情報を取得し、前記複数の映像情報を同時に信号処理して、映像信号を出力する信号処理部と、
前記映像信号に基づいて表示画面上に映像を表示する表示部と、
外部から視聴率情報を取得する通信部と、
前記視聴率情報に基づいて前記複数のチャンネルの表示優先度を決定し、前記表示優先度に基づいて前記複数の映像情報の前記表示部における表示形態を決定して、前記信号処理部において前記表示形態に応じた前記複数の映像情報の信号処理を実行させる制御部とを有することを特徴とする放送受信装置。
【請求項２】
前記制御部は、前記複数の映像情報の前記表示形態として前記表示部の前記表示画面上における表示サイズ、及び表示位置を決定することを特徴とする請求項１に記載の放送受信装置。
【請求項３】
前記制御部は、前記表示優先度に基づいて、各チャンネルの出力音量を決定することを特徴とする請求項１に記載の放送受信装置。
【請求項４】
前記制御部は、前記表示優先度が最も高いチャンネルの音声を出力するよう決定することを特徴とする請求項３に記載の放送受信装置。
【請求項５】
チャンネルを選局して映像情報を受信するチューナを複数有するチューナ部と、
前記チューナ部から複数のチャンネルの映像情報を取得し、前記複数の映像情報を同時に信号処理して、映像信号を出力する信号処理部と、
前記映像信号に基づいて表示画面上に映像を表示する表示部と、
利用者の嗜好情報を格納する記憶部と、
前記複数の映像情報から付随情報を取得して、前記嗜好情報と前記付随情報との関連度を算出し、前記関連度に基づいて前記複数のチャンネルの表示優先度を決定して、前記表示優先度に基づいて前記複数の映像情報の前記表示部における表示形態を決定し、前記信号処理部において前記表示形態に応じた前記複数の映像情報の信号処理を実行させる制御部とを有することを特徴とする放送受信装置。
【請求項６】
チャンネルを選局して映像情報を受信するチューナを複数有するチューナ部と、
前記チューナ部から複数のチャンネルの映像情報を取得し、前記複数の映像情報を同時に信号処理して、映像信号を出力する信号処理部と、
前記映像信号に基づいて表示画面上に映像を表示する表示部と、
前記複数の映像情報を解析して取得した特徴値に基づいて前記複数のチャンネルの表示優先度を決定し、前記表示優先度に基づいて前記複数の映像情報の前記表示部における表示形態を決定して、前記信号処理部において前記表示形態に応じた前記複数の映像情報の信号処理を実行させる制御部とを有することを特徴とする放送受信装置。
【請求項７】
前記制御部は、前記特徴値として前記複数の映像情報のビットレートをそれぞれ取得することを特徴とする請求項６に記載の放送受信装置。
【請求項８】
前記制御部は、前記特徴値として前記複数の映像情報の音量をそれぞれ取得することを特徴とする請求項６に記載の放送受信装置。
【発明の詳細な説明】
【技術分野】
【０００１】
本発明は、放送受信装置に関する。
【背景技術】
【０００２】
従来、視聴率の高い番組を放送中のチャンネルに自動的に切り替える放送受信装置が知られている（例えば、特許文献１参照）。
【０００３】
この放送受信装置は、外部ネットワークと接続する通信部と、放送波を受信するアンテナ、及びチューナと、通信部を介して外部ネットワークから視聴率情報を取得し、取得した視聴率情報に基づいて視聴率の高い番組を放送中のチャンネルを特定し、チューナのチャンネルを自動的に切り替える制御部とを有するため、利用者は、常に視聴率の高い番組を視聴することができる。
【特許文献１】特開２００３−１５３１０５号公報
【発明の開示】
【発明が解決しようとする課題】
【０００４】
しかし、従来の放送受信装置によると、視聴率の変化に応じて表示されるチャンネルが動的に変更されるため、利用者は、視聴率の最も高い番組を放送しているチャンネルの状況は把握できるが、それ以外のチャンネルの状況は把握することができない。
【０００５】
従って、本発明の目的は、複数のチャンネルの内容を好適に提示することができる放送受信装置を提供することにある。
【課題を解決するための手段】
【０００６】
（１）本発明の一実施形態は上記目的を達成するため、チャンネルを選局して映像情報を受信するチューナを複数有するチューナ部と、前記チューナ部から複数のチャンネルの映像情報を取得し、前記複数の映像情報を同時に信号処理して、映像信号を出力する信号処理部と、前記映像信号に基づいて表示画面上に映像を表示する表示部と、外部から視聴率情報を取得する通信部と、前記視聴率情報に基づいて前記複数のチャンネルの表示優先度を決定し、前記表示優先度に基づいて前記複数の映像情報の前記表示部における表示形態を決定して、前記信号処理部において前記表示形態に応じた前記複数の映像情報の信号処理を実行させる制御部とを有することを特徴とする放送受信装置を提供する。
【０００７】
上記した構成によれば、視聴率情報に基づいてチャンネルの表示形態を決定して、表示形態に基づいて複数のチャンネルを表示することで、複数のチャンネルの視聴率情報に基づき、好適な形態で複数のチャンネルの内容を提示することができる。
【０００８】
（２）また、本発明の一実施形態は上記目的を達成するため、チャンネルを選局して映像情報を受信するチューナを複数有するチューナ部と、前記チューナ部から複数のチャンネルの映像情報を取得し、前記複数の映像情報を同時に信号処理して、映像信号を出力する信号処理部と、前記映像信号に基づいて表示画面上に映像を表示する表示部と、利用者の嗜好情報を格納する記憶部と、前記複数の映像情報から付随情報を取得して、前記嗜好情報と前記付随情報との関連度を算出し、前記関連度に基づいて前記複数のチャンネルの表示優先度を決定して、前記表示優先度に基づいて前記複数の映像情報の前記表示部における表示形態を決定し、前記信号処理部において前記表示形態に応じた前記複数の映像情報の信号処理を実行させる制御部とを有することを特徴とする放送受信装置を提供する。
【０００９】
上記した構成によれば、嗜好情報と付随情報との関連度に基づいてチャンネルの表示形態を決定して、表示形態に基づいて複数のチャンネルを表示することで、複数のチャンネルの嗜好情報に対する関連度に基づき、好適な形態で複数のチャンネルの内容を提示することができる。
【００１０】
（３）また、本発明の一実施形態は上記目的を達成するため、チャンネルを選局して映像情報を受信するチューナを複数有するチューナ部と、前記チューナ部から複数のチャンネルの映像情報を取得し、前記複数の映像情報を同時に信号処理して、映像信号を出力する信号処理部と、前記映像信号に基づいて表示画面上に映像を表示する表示部と、前記複数の映像情報を解析して取得した特徴値に基づいて前記複数のチャンネルの表示優先度を決定し、前記表示優先度に基づいて前記複数の映像情報の前記表示部における表示形態を決定して、前記信号処理部において前記表示形態に応じた前記複数の映像情報の信号処理を実行させる制御部とを有することを特徴とする放送受信装置を提供する。
【００１１】
上記した構成によれば、映像情報の特徴量に基づいてチャンネルの表示形態を決定し、表示形態に基づいて複数のチャンネルを表示することで、複数の映像情報の特徴に基づき、好適な形態で複数のチャンネルの内容を提示することができる。
【発明の効果】
【００１２】
本発明によれば、複数のチャンネルの内容を好適に提示することができる。
【発明を実施するための最良の形態】
【００１３】
以下に、本発明の放送受信装置の実施の形態を、図面を参照して詳細に説明する。
【００１４】
［第１の実施の形態］
（放送受信装置の構成）
図１は、第１の実施の形態に係る放送受信装置の外観の一例を示す概略図である。
【００１５】
この放送受信装置１００は、チューナ、信号処理ＬＳＩ（Ｌａｒｇｅ  Ｓｃａｌｅ  Ｉｎｔｅｇｒａｔｉｏｎ）、及びネットワークＩ／Ｆ（ＩｎｔｅｒＦａｃｅ）等の電子部品を格納する本体１００Ａと、ＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）等を用いて映像を表示する表示部４と、音声を出力するスピーカ５Ｒ、及び５Ｌとを有する。
【００１６】
また、放送受信装置１００は、図示しない、本体１００Ａに外部ネットワークと接続するためのＬＡＮ（Ｌｏｃａｌ  Ａｒｅａ  Ｎｅｔｗｏｒｋ）ポート、外部アンテナと接続されるアンテナ端子、及び外部機器と接続するためのＨＤＭＩポートやアナログ入力ポート等を有する。
【００１７】
図２は、第１の実施の形態に係る放送受信装置の構成例を示すブロック図である。
【００１８】
放送受信装置１００は、放送波を受信する外部のアンテナ１Ａと接続され、アンテナ１Ａから出力される映像情報、及び音声情報を選局するチューナ部１と、チューナ部１が選局した映像情報、及び音声情報をデコード処理して映像信号、及び音声信号に変換処理する信号処理部２と、信号処理部２が変換した映像信号、及び音声信号に対してＤ／Ａ変換や増幅等の処理を実行する映像／音声出力部３と、映像／音声出力部３の出力に応じて映像を表示する表示部４と、映像／音声出力部３の出力に応じて音声を出力するスピーカ５（５Ｒ、５Ｌ）と、外部ネットワークに接続されて外部と通信する通信部６と、各部を制御する制御部７とを有する。
【００１９】
チューナ部１は、複数のチャンネルを同時に受信するよう、複数のチューナを有する。
【００２０】
信号処理部２は、チューナ部１の複数のチューナから受信した複数の映像情報、及び音声情報を同時にデコード処理する。また、信号処理部２は、同時にデコードした複数の映像情報、及び音声情報に該当する複数の番組を、１つの画面上に大きさ、及び位置を調整して配置し、表示処理する。
【００２１】
通信部６は、例えば、ＬＡＮポートを介して外部のネットワークに接続され、制御部７の管理の下、外部と通信を行う。本実施の形態では、通信部６は、各チャンネルで放送中の番組の視聴率をリアルタイムで提供するサーバと通信しており、所定の間隔、例えば、３分毎に視聴率を取得する。
【００２２】
制御部７は、通信部６を介して受信した視聴率に基づいて各チャンネルの表示優先度を算出し、算出した表示優先度に基づいてチューナ部１、信号処理部２、及び映像／音声出力部３を制御する表示優先度演算部７Ａを有する。表示優先度演算部７Ａは、制御部７内に設けられた図示しないフラッシュメモリ上に格納されるプログラムである。
【００２３】
図３は、第１の実施の形態に係る放送受信装置の表示例を示す概略図である。
【００２４】
表示部４は、マルチ画面表示時において、表示領域４０ａ〜４０ｌを表示する。ここで、マルチ画面表示とは、表示部４の表示画面上に１つのチャンネルの表示を行う表示領域を有する通常表示に対し、表示部４の表示画面上に複数の表示領域を有するように画面表示を行うものであって、本実施の形態においては、例えば、受信可能な全てのチャンネルを同時に表示する表示形態である。
【００２５】
表示領域４０ａは、最も表示優先度の高い番組の内容を表示する表示領域であり、表示領域４０ｂ〜４０ｌの順で表示優先度の高い順にその他の番組の内容を表示する領域である。表示領域４０ａの表示サイズを最も大きくし、表示優先度の高いものから低いものへかけて表示サイズを小さくする。
【００２６】
（動作）
以下に、第１の実施の形態における放送受信装置の動作を各図を参照しつつ説明する。
【００２７】
図４は、第１の実施の形態に係る放送受信装置の動作例を示すフローチャートである。
【００２８】
まず、放送受信装置１００の表示優先度演算部７Ａは、図示しないリモコンや操作スイッチ等における入力信号を監視して、マルチ画面表示指示に関する入力信号があった場合（Ｓ１；Ｙｅｓ）、通信部６を介してサーバから受信中の各番組の番組視聴率情報を取得する（Ｓ２）。
【００２９】
次に、表示優先度演算部７Ａは、取得した番組視聴率情報に基づいて表示優先度を演算する（Ｓ３）。表示優先度の演算は、例えば、視聴率の高い順に表示優先度を高く設定する。次に、表示優先度に基づいて各番組の表示サイズ、及び表示位置を決定する（Ｓ４）。表示サイズ、及び表示位置は、例えば、図３に示すように、表示優先度順に、表示領域４０ａ〜４０ｌの表示サイズ、及び表示位置に設定する。
【００３０】
次に、表示優先度演算部７Ａは、ステップＳ４で決定した表示位置、及び表示サイズを適用するとともに、信号処理部２に表示するすべての番組の映像情報、及び音声情報をデコードさせ、図３に示すように表示部４にマルチ画面表示させる（Ｓ５）。
【００３１】
次に、マルチ画面表示を終了する操作に関する入力信号があった場合（Ｓ６；Ｙｅｓ）、表示優先度演算部７Ａは、マルチ画面表示を終了する。
【００３２】
また、マルチ画面表示を終了する入力信号がない場合（Ｓ６；Ｎｏ）、表示優先度演算部７Ａは、所定の時間、例えば、３分間経過するごとにステップＳ２〜Ｓ６を繰り返すことで、マルチ画面表示される番組の表示サイズ、及び表示位置を更新する（Ｓ７；Ｙｅｓ）。所定の時間が経過する前に（Ｓ７；Ｎｏ）、マルチ画面表示を終了する入力がある場合は、マルチ画面を終了する（Ｓ６；Ｙｅｓ）。
【００３３】
なお、表示優先度演算部７Ａは、表示優先度の最も高い番組の音声のみスピーカ５から出力されるよう映像／音声出力部３を制御する。また、表示優先度の順に各番組の音量を大きくして同時に出力してもよい。
【００３４】
（第１の実施の形態の効果）
上記した第１の実施の形態によると、視聴率情報に基づいて複数のチャンネルの各番組の表示サイズと表示位置を変化させて表示することで、複数のチャンネルの視聴率に関する情報を把握することができるとともに、複数のチャンネルの内容を把握することができる。また、視聴率の高い番組ほど表示領域を大きくして表示することで、視聴率の高い番組の内容をより詳細に、視聴率の低い番組の内容を簡潔に提示することができる。また、所定の時間毎に表示が更新されるため、視聴率に関する情報の並びを動的に提示することができる。
【００３５】
なお、各番組の表示サイズを同等にして表示位置を表示優先度に基づいて並べる構成にしてもよい。また、表示優先度に基づいて、表示サイズ、及び表示位置を変更するか、又は表示位置のみを変更するか利用者に選択させるようにしてもよい。
【００３６】
［第２の実施の形態］
図５は、第２の実施の形態に係る放送受信装置の構成例を示すブロック図である。なお、以下の説明において、第１の実施の形態と同一の構成、及び機能を有する部分については共通の符号を付している。
【００３７】
放送受信装置１００は、ＨＤＤ（Ｈａｒｄ  Ｄｉｓｋ  Ｄｒｉｖｅ）やフラッシュメモリ等からなる記憶部８を有する。記憶部８は、利用者によって内容登録される嗜好情報８Ａを格納する。嗜好情報８Ａは、番組のジャンル、出演者等の情報からなる。また、嗜好情報８Ａは、制御部７によって自動的に抽出される構成であってもよい。
【００３８】
図６は、第２の実施の形態に係る放送受信装置の動作例を示すフローチャートである。なお、以下の説明において、図４において説明した動作と同様の動作はその説明を省略する。
【００３９】
表示優先度演算部７Ａは、各チャンネルについて、映像情報、及び音声情報とともに番組名、番組のジャンル、出演者等の情報を含む番組付随情報を、アンテナ１Ａ、及びチューナ部１、信号処理部２を介して取得する（Ｓ１２）。次に、嗜好情報８Ａと番組付随情報との関連度を算出し、関連度に基づいて表示優先度の演算を実行する（Ｓ１３）。演算は、例えば、番組付随情報から嗜好情報８Ａに登録されている内容に一致する項目を抽出して、一致項目の多い番組付随情報を有する番組の表示優先度を高く設定する。
【００４０】
（第２の実施の形態の効果）
上記した第２の実施の形態によると、嗜好情報８Ａに基づいて複数のチャンネルで放送される各番組の表示サイズと表示位置を変化させて表示することで、複数のチャンネルの嗜好情報８Ａとの関連度を把握することができるとともに、複数のチャンネルの内容を把握することができる。また、嗜好情報８Ａに対する関連度の高い番組ほど表示領域を大きくして表示することで、利用者の嗜好に合った番組の内容をより詳細に、嗜好に合わなかった番組の内容を簡潔に提示することができる。
【００４１】
［第３の実施の形態］
図７は、第３の実施の形態に係る放送受信装置の動作例を示すフローチャートである。
【００４２】
表示優先度演算部７Ａは、各チャンネルについて、特徴値として、信号処理部２がデコード処理中の映像情報のビットレートを取得する（Ｓ２２）。次に、ビットレート順に各チャンネルで放送中の番組の表示優先度を決定する（Ｓ２３）。
【００４３】
（第３の実施の形態の効果）
上記した第３の実施の形態によると、各番組の映像情報のビットレートに基づいて複数のチャンネルで放送中の番組の表示サイズと表示位置を変化させて表示することで、例えば、変化が複雑な映像や多数の色情報を含む映像等の、より詳細な映像で構成される番組を大きく表示できるとともに、複数のチャンネルの内容を把握することができる。
【００４４】
［第４の実施の形態］
図８は、第４の実施の形態に係る放送受信装置の動作例を示すフローチャートである。
【００４５】
表示優先度演算部７Ａは、各チャンネルについて、信号処理部２がデコード処理中の音声情報を解析し、特徴値として各番組の音量を取得する（Ｓ３２）。次に、音量順に各チャンネルで放送中の番組の表示優先度を決定する（Ｓ３３）。
【００４６】
（第４の実施の形態の効果）
上記した第４の実施の形態によると、各番組の音量に基づいて複数のチャンネルで放送中の番組の表示サイズと表示位置を変化させて表示することで、例えば、音楽番組の音響やお笑い番組の笑い声等が大きいような、盛り上がりの大きい番組の表示優先度を上げて大きく表示できるとともに、複数のチャンネルの内容を把握することができる。
【００４７】
なお、第１〜第４の実施の形態を組み合わせて、例えば、視聴率、及び嗜好情報に基づいて表示優先度を決定する構成としてもよい。また、視聴率、嗜好情報、ビットレート、音量の任意の組み合わせにおいて本発明を実施してもよい。
【図面の簡単な説明】
【００４８】
【図１】第１の実施の形態に係る放送受信装置の外観の一例を示す概略図である。
【図２】第１の実施の形態に係る放送受信装置の構成例を示すブロック図である。
【図３】第１の実施の形態に係る放送受信装置の表示例を示す概略図である。
【図４】第１の実施の形態に係る放送受信装置の動作例を示すフローチャートである。
【図５】第２の実施の形態に係る放送受信装置の構成例を示すブロック図である。
【図６】第２の実施の形態に係る放送受信装置の動作例を示すフローチャートである。
【図７】第３の実施の形態に係る放送受信装置の動作例を示すフローチャートである。
【図８】第４の実施の形態に係る放送受信装置の動作例を示すフローチャートである。
【符号の説明】
【００４９】
１…チューナ部、１Ａ…アンテナ、２…信号処理部、３…映像／音声出力部、４…表示部、５、５Ｌ、５Ｒ…スピーカ、６…通信部、７…制御部、７Ａ…表示優先度演算部、８…記憶部、８Ａ…嗜好情報、４０ａ-４０ｌ…表示領域、１００…放送受信装置、１００Ａ…本体
【図１】
2010041166.tif 000003
【図２】
2010041166.tif 000004
【図３】
2010041166.tif 000005
【図４】
2010041166.tif 000006
【図５】
2010041166.tif 000007
【図６】
2010041166.tif 000008
【図７】
2010041166.tif 000009
【図８】
2010041166.tif 000010